(57)【要約】      （修正有）【課題】テレコミュニケーションおよび／またはデータ通信に関し、詳細には、自動再送要求（ＡＲＱ）および／またはハイブリッド自動再送要求（ＨＡＲＱ）再送信スキームが使用される場合にフィードバック送信のタイミングを制御するための方法および装置を提供する。【解決手段】通信リンクを介して通信している通信デバイスによるフィードバック送信のタイミングを制御するための方法であって、通通信デバイスにおいて、通信リンクは、再送信スキームをサポートする。方法は、フィードバックタイミングインジケータ（ＦＴＩ）を送信することを含み、そのインジケータは、インジケータのセットから選択される。【選択図】図１０
2020127218.tif 000002
【特許請求の範囲】
【請求項１】
通信リンク（７０）を介して通信している通信デバイス（８０）によるフィードバック送信のタイミングを制御するための方法であって、前記通信リンクが、再送信スキームをサポートし、前記方法が、
フィードバックタイミングインジケータ（ＦＴＩ）を送信すること（４２）を含み、前記インジケータが、インジケータのセットから選択される、方法。
【請求項２】
前記ＦＴＩの前記選択がスケジューリング情報に基づく、請求項１に記載の方法。
【請求項３】
前記スケジューリング情報が、
ＭＩＭＯストリーム、
ＭＩＭＯストリームの数、
データパケットのトランスポートブロックサイズ、
再送信バッファサイズ、
前記通信リンクの利用可能なリソースブロック、
前記通信リンクの周波数帯域幅、
前記スケジュールされた送信の周波数帯域幅、
前記送信のチャネルコーディング構成、
トラフィックタイプ
のうちの少なくとも１つを含む、請求項２に記載の方法。
【請求項４】
前記フィードバックタイミングインジケータが時間構造を示す、請求項１に記載の方法。
【請求項５】
前記時間構造が、
送信時間間隔、
サブフレーム、
無線フレーム、
シンボル時間長、
シンボル
のうちの少なくとも１つを含む、請求項４に記載の方法。
【請求項６】
前記フィードバックタイミングインジケータに従って、前記再送信スキームに関連して、再送信フィードバックを受信すること
をさらに含む、請求項１に記載の方法。
【請求項７】
前記ＦＴＩを送信することが、データを送信することを含む、請求項１に記載の方法。
【請求項８】
前記データのフォーマットが前記ＦＴＩに基づく、請求項７に記載の方法。
【請求項９】
前記データが、少なくとも１つのデータパケットを含む、請求項７に記載の方法。
【請求項１０】
通信リンク（７０）を介した通信に関するフィードバック送信のタイミングを制御するように適合されている通信デバイス（８０）であって、前記通信リンクが、再送信スキームをサポートし、前記通信デバイス（８０）が、
フィードバックタイミングインジケータ（ＦＴＩ）を送信するようにさらに適合されており、前記インジケータが、インジケータのセットから選択される、通信デバイス（８０）。
【請求項１１】
前記ＦＴＩの前記選択がスケジューリング情報に基づく、請求項１０に記載の通信デバイス（８０）。
【請求項１２】
前記スケジューリング情報が、
ＭＩＭＯストリームの数、
データパケットのトランスポートブロックサイズ、
再送信バッファサイズ、
前記通信リンクの利用可能なリソースブロック、
前記通信リンクの周波数帯域幅、
前記スケジュールされた送信の周波数帯域幅、
前記送信のチャネルコーディング構成、
トラフィックタイプ
のうちの少なくとも１つを含む、請求項１１に記載の通信デバイス（８０）。
【請求項１３】
前記フィードバックタイミングインジケータが時間構造を示す、請求項１０に記載の通信デバイス（８０）。
【請求項１４】
前記時間構造が、
送信時間間隔、
サブフレーム、
無線フレーム、
シンボル時間長、
シンボル
のうちの少なくとも１つを含む、請求項１３に記載の通信デバイス（８０）。
【請求項１５】
前記通信デバイス（８０）が、
前記フィードバックタイミングインジケータに従って、前記再送信スキームに関連して、再送信フィードバックを受信するようにさらに適合されている、請求項１０に記載の通信デバイス（８０）。
【請求項１６】
データを送信するようにさらに適合されている、請求項１０に記載の通信デバイス（８０）。
【請求項１７】
前記データのフォーマットが前記ＦＴＩに基づく、請求項１６に記載の通信デバイス（８０）。
【請求項１８】
前記データが、少なくとも１つのデータパケットを含む、請求項１６に記載の通信デバイス（８０）。
【請求項１９】
通信リンク（７０）を介して通信している通信デバイス（９０）によって再送信フィードバックを送信するための方法であって、前記通信リンクが、再送信スキームをサポートし、前記方法が、
フィードバックタイミングインジケータ（ＦＴＩ）を受信すること（５２）、および
前記フィードバックタイミングインジケータに基づいて再送信フィードバックを送信すること（５４）を含む方法。
【請求項２０】
前記ＦＴＩが時間構造を示す、請求項１９に記載の方法。
【請求項２１】
前記時間構造が、
送信時間間隔、
サブフレーム、
無線フレーム、
シンボル時間長、
シンボル
のうちの少なくとも１つを含む、請求項２０に記載の方法。
【請求項２２】
受信すること（５２）が、前記再送信スキームに関連したデータを受信することを含む、請求項１９から２１のいずれか一項に記載の方法。
【請求項２３】
前記インジケータが、前記ＦＴＩが受信された前記時間構造に関連した時間構造を示す、請求項２０から２２のいずれか一項に記載の方法。
【請求項２４】
前記インジケータが、前記データが受信される前記時間構造に関連した時間構造を示す、請求項２２または２３に記載の方法。
【請求項２５】
再送信フィードバックが前記再送信スキームに関連している、請求項１９から２４のいずれか一項に記載の方法。
【請求項２６】
前記受信された前記再送信スキームに関連したデータのフォーマットが前記ＦＴＩに基づく、請求項２２に記載の方法。
【請求項２７】
通信リンク（７０）を介した通信に関する再送信フィードバックを送信するように適合されている通信デバイス（９０）であって、前記通信リンクが、再送信スキームをサポートし、前記通信デバイス（９０）が、
フィードバックタイミングインジケータ（ＦＴＩ）を受信すること、および
前記フィードバックタイミングインジケータに基づいて再送信フィードバックを送信するようにさらに適合されている通信デバイス（９０）。
【請求項２８】
前記ＦＴＩが時間構造において受信される、請求項２７に記載の通信デバイス（９０）。
【請求項２９】
前記ＦＴＩが時間構造を示す、請求項２７に記載の通信デバイス（９０）。
【請求項３０】
前記時間構造が、
送信時間間隔、
サブフレーム、
無線フレーム、
シンボル時間長、
シンボル
のうちの少なくとも１つを含む、請求項２７から２９のいずれか一項に記載の通信デバイス（９０）。
【請求項３１】
前記再送信スキームに関連したデータを受信するようにさらに適合されている、請求項２７から３０のいずれか一項に記載の通信デバイス（９０）。
【請求項３２】
前記ＦＴＩが、前記ＦＴＩが受信される前記時間構造に関連した時間構造を示す、請求項２８から３１のいずれか一項に記載の通信デバイス（９０）。
【請求項３３】
前記ＦＴＩが、前記データが受信される前記時間構造に関連した時間構造を示す、請求項２８から３１のいずれか一項に記載の通信デバイス（９０）。
【請求項３４】
再送信フィードバックが再送信スキームに関連している、請求項２７から３３のいずれか一項に記載の通信デバイス（９０）。
【請求項３５】
前記受信された前記再送信スキームに関連したデータのフォーマットが前記ＦＴＩに基づく、請求項３１に記載の通信デバイス（９０）。
【発明の詳細な説明】
【技術分野】
【０００１】
本明細書における実施形態は、全般的にはテレコミュニケーションおよび／またはデータ通信に関し、詳細には、自動再送要求（ＡＲＱ）および／またはハイブリッド自動再送要求（ＨＡＲＱ）再送信スキームが使用される場合にフィードバック送信のタイミングを制御するための方法および装置に関する。
【背景技術】
【０００２】
現代のワイヤレス通信システムは、再送信スキームを使用しており、その再送信スキームは、しばしば自動再送要求（ＡＲＱ）と呼ばれている。ＡＲＱスキームにおいては、送信機から送信されるデータパケットは、ＣＲＣを添付される。受信機が、そのデータパケットをデコードし、ＣＲＣを再計算し、得られたＣＲＣを、送信されたＣＲＣと比較する。ＣＲＣがマッチしている場合には、対応するデータパケットが正しく受信されたということを示すために肯定応答（ＡＣＫ）がフィードバックとして送信機へ送信され、ＣＲＣがマッチしていない場合には、データパケットが正しく受信されなかったということを示すために否定応答（ＮＡＣＫ）がフィードバックとして送信機へ送信される。そのようなフィードバック（ＡＣＫまたはＮＡＣＫ）に基づいて、送信機は、フィードバックがＮＡＣＫだった場合には、対応するデータパケットを再送信することができる。
【０００３】
フィードバックがＮＡＣＫであるケースにおいては、データ送信の成功のための時間は、少なくとも、フィードバックを提供することおよび送信機からデータを再送信することのために必要とされる時間である。送信と、続く再送信との間における持続時間は、再送信ラウンドトリップタイムと呼ばれる場合がある。
【０００４】
ＬＴＥおよびその他のワイヤレス通信システムにおいては、ＦＥＣ（前方誤り訂正）エンコーディングおよびＡＲＱの両方が適用されることが可能であり、これは、ハイブリッドＡＲＱ（ＨＡＲＱ）としても知られている。ＨＡＲＱは、ＵＭＴＳなどのモバイル電話ネットワークのための高速データ送信を（それぞれダウンリンクおよびアップリンクで）提供するＨＳＤＰＡおよびＨＳＵＰＡにおいて、ならびに「モバイルＷｉＭＡＸ」としても知られている、モバイルブロードバンドワイヤレスアクセスのためのＩＥＥＥ８０２．１６−２００５標準において使用されている。ＨＡＲＱは、ＥＶＤＯおよびＬＴＥワイヤレスネットワークにおいても使用されている。
【０００５】
タイプＩハイブリッドＡＲＱは、既存の家庭用配線（電力線、電話回線、および同軸ケーブル）を介して最大で１Ｇｂｉｔ／ｓのデータレートで機能することができる高速ローカルエリアネットワーク標準であるＩＴＵ−Ｔ  Ｇ．ｈｎにおいて使用されている。Ｇ．ｈｎは、エラー検知のためにＣＲＣ−３２Ｃを、前方誤り訂正のためにＬＤＰＣを、およびＡＲＱのために選択再送を使用している。ＬＴＥに勝る改良領域のうちの１つは、５Ｇ通信システムにおいては、レイテンシであろう。ＬＴＥにおいては、ＨＡＲＱフィードバックが、数サブフレーム後に受信機から送信機へ送信される。ＬＴＥにおいては、１つのサブフレームが１ｍｓにわたり、その結果、より低いレイヤの再送信プロトコルのレイテンシが数ｍｓになる。この持続時間を低減するために、５Ｇ通信システムは、フィードバックが、対応するデータが送信されるサブフレームの終わりに送信されることが可能であるフレーム構造を有することができる。図１は、そのようなフィードバック送信を可能にする例示的なＴＤＤフレーム構造を示している。全複信が未だ実行可能なソリューションではないので、ダウンリンク（ＤＬ）送信は、しばらく停止しなければならず、その後にアップリンク（ＵＬ）送信が開始して、送信から受信へ受信機が切り替わることを可能にすることができ、その逆もまた同様である。ＤＬ送信を停止してからＵＬ送信が開始するまでのこの時間は、ガードピリオドと呼ばれる場合がある。ガードピリオドは、可能なタイミングアドバンスを含むこともでき、そのタイミングアドバンスを使用して、伝搬遅延を補い、それによって、たとえばワイヤレスデバイスまたはＵＥのための適切なタイミングを提供して、たとえばｅＮＢまたは基地局における同期化を可能にすることができる。
【０００６】
ＦＤＤに関しては、システム全複信オペレーションが実現可能であり、したがって、図２において示されているようにＵＬ送信およびＤＬ送信が重なることがある。この重なりは、たとえばＵＬおよびＤＬ上で同時送信があり得るということを意味することが可能である。一例として、ＵＬサブフレームにおける再送信フィードバックが、対応するＤＬサブフレームにおいてデータパケットが送信されている間に送信される可能性がある。しかしながら、ＵＬサブフレームにおけるフィードバック信号を送信することが可能であるためには、ＤＬサブフレームの終了前にまたはＤＬサブフレームの終わりに、ＦＤＤに関してさえ、ダウンリンク送信が早くに停止しなければならないことになり、それによって、送信されているサブフレームの終わりにＤＬリソースが無駄になる。これらの「無駄になる」ＤＬリソースを次のＤＬサブフレームのために使用することは、望ましくない。なぜなら、これによってサブフレーム同士の間における依存関係が生じるからである。
【０００７】
上で概説されて図１において示されているフレーム構造は、サブフレームごとにＴＤＤに関する複信方向切り替えを必要とする。複信方向切り替えごとに、対応するガードピリオドに伴って、あらゆるＤＬサブフレームにおいていくつかのシンボルが使用されることが不可能である結果となる。同様の影響は、図２に関連して記述されているように、ＦＤＤに関しても予想される。なぜなら、ＤＬサブフレームにおける最後のシンボルが使用されないからであり、それは、その使用によってＤＬサブフレーム同士の間における望ましくない相互依存関係が生じることになるからである。
【０００８】
したがって、ＴＤＤおよびＦＤＤの両方に関して、チャネルの全キャパシティを効率よく利用しないリスクがある。なぜなら、フィードバックが、対応するデータパケットが送信されるサブフレームの終わりに送信されることが可能であるフレーム構造を伴う通信システムにおいては、あらゆるサブフレームにおいて、割り当てられているリソースのうちの一部が使用できないからである。
【０００９】
同じサブフレームにおいて再送信フィードバックを提供することは、デコーダの実施態様によっては、より多くバッテリーを消費する可能性がある。なぜなら、端末は、受信されたデータをデコードするのに非常に短い時間しか有していないからである。短いレイテンシをアプリケーションが必要とする場合には、これは許容可能であるが、低いレイテンシをアプリケーションが必要としない場合には、デコーディングのためにより多くの時間を端末に提供して、ひいては潜在的なエネルギー節約を可能にすることが有益である可能性がある。
【００１０】
したがって、フィードバックがすぐに提供される場合には、チャネルが十分に利用されずにＵＥの電力消費が増大するリスクがある。
【発明の概要】
【００１１】
上で概説されている問題および論点のうちの少なくともいくつかに対処することが、本明細書において記述されている実施形態の目的である。添付の独立請求項において規定されている方法および通信デバイス、たとえば送信デバイスおよび受信デバイスを使用することによって、この目的およびその他の目的を達成することが可能である。
【００１２】
一態様による、通信リンクを介して通信している通信デバイスによるフィードバック送信のタイミングを制御するための方法であって、その通信リンクが、再送信スキームをサポートし、この方法が、フィードバックタイミングインジケータ（ＦＴＩ）を送信することを含み、そのインジケータが、インジケータのセットから選択される、方法。
【００１３】
別の態様による、プロセッサとメモリとを含む通信デバイスであって、そのメモリが、そのプロセッサによって実行可能な命令を含み、それによってこの通信デバイスが、通信リンクを介した通信に関するフィードバック送信のタイミングを制御するように機能し、および／または適合されており、その通信リンクが、再送信スキームをサポートし、この通信デバイスが、フィードバックタイミングインジケータ（ＦＴＩ）を送信するようにさらに適合されており、そのインジケータが、インジケータのセットから選択される、通信デバイス。
【００１４】
別の態様による、通信リンクを介して通信している通信デバイスによって再送信フィードバックを送信するための方法であって、その通信リンクが、再送信スキームをサポートし、この方法が、フィードバックタイミングインジケータ（ＦＴＩ）を受信すること、およびそのフィードバックタイミングインジケータに基づいて再送信フィードバックを送信することを含む、方法。
【００１５】
別の態様による、プロセッサとメモリとを含む通信デバイスであって、そのメモリが、そのプロセッサによって実行可能な命令を含み、それによってこの通信デバイスが、通信リンクを介した通信に関する再送信フィードバックを送信するように機能し、および／または適合されており、その通信リンクが、再送信スキームをサポートし、この通信デバイスが、フィードバックタイミングインジケータ（ＦＴＩ）を受信すること、およびそのフィードバックタイミングインジケータに基づいて再送信フィードバックを送信するようにさらに適合されている、通信デバイス。
【００１６】
上述の通信デバイスおよびそこにおける方法は、さまざまな任意選択の実施形態に従って、以降で記述されることになるさらなる特徴および利点を達成するように実施および設定されることが可能である。
【００１７】
これらの方法ならびに対応する無線ネットワークノードおよびワイヤレスデバイスによって達成される利点のうちのいくつかは、下記のようにまとめられることが可能である。
再送信フィードバックのフレキシブルなタイミングを可能にすること、
レイテンシとキャパシティとの間におけるトレードオフを可能にすること、
負荷が低い場合に、短いレイテンシを可能にすること、
サブフレーム同士の間における相互依存関係を回避すること、
貧弱な無線カバレッジのケースにおいて、レイテンシ要件を満たすことと、バッテリーを節約することとの間におけるトレードオフを最適化すること。
【００１８】
次いで、例示的な実施形態を用いて、添付の図面を参照しながら、より詳細にソリューションについて記述する。
【図面の簡単な説明】
【００１９】
【図１】低いレイテンシのフィードバックシグナリングを伴う５Ｇ  ＴＤＤシステムのためのフレーム構造の一例を示す図である。
【図２】低いレイテンシのフィードバックシグナリングを伴う５Ｇ  ＦＤＤシステムのためのフレーム構造の一例を示す図である。
【図３】複信方向切り替えの回数を低減するさらに低い頻度のおよび／またはアグリゲートされたフィードバックが使用されることが可能であるということを意味する遅延耐性のあるトラフィックを伴うダウンリンクの大量の送信を伴う一例を示す図である。
【図４】カバレッジの限られている通信デバイスは、長いフィードバック信号を使用してカバレッジを確保しなければならないということを示す図である。
【図５ａ】再送信フィードバックがいつ要求されるかをフィードバックタイミングインジケータ（ＦＴＩ）がどのようにして示すことができるかの一例を示す図である。
【図５ｂ】同じフィードバック送信においてデータサブフレームのバンドルに関して再送信フィードバックがどのようにして提供されることが可能であるかの一例を示す図である。この図はまた、ＦＴＩが送信されるサブフレームと相対的なサブフレームを示すことができるフィードバックタイミングインジケータ（ＦＴＩ）の一例を示している。
【図５ｃ】フィードバックを求める要求が後のサブフレームにおいて来ることになるということを示す、送信デバイスの一例を示す図である。
【図６】ｅＮＢにおいて同期化される複数のサブフレームを伴う一例を示す図である。
【図７】本明細書における実施形態が適用および／または実施されることが可能である例示的な通信ネットワークを示す図である。
【図８】本明細書における実施形態が適用および／または実施されることが可能である例示的な通信システムを示す図である。
【図９】対応するＵＬサブフレームおよびＤＬサブフレームを示す図である。
【図１０】本明細書における実施形態による、通信デバイス８０において実行される方法を示す図である。
【図１１】本明細書における実施形態による、通信デバイス９０において実行される方法を示す図である。
【図１２】本明細書における例示的な実施形態による通信デバイス８０を示すブロック図である。
【図１３】本明細書における例示的な実施形態による通信デバイス９０を示すブロック図である。
【発明を実施するための形態】
【００２０】
本明細書における実施形態が適用される通信システムは、データストリームが、送信中に発生する可能性があるエラーにもかかわらずにユーザへ正確に配信されることを確実にするために再送信スキームを使用することができる。そのような再送信スキームの例は、たとえば３ＧＰＰにおいてＵＭＴＳおよび／またはＬＴＥに関して規定されているＡＲＱおよび／またはＨＡＲＱであり得る。
【００２１】
上で概説されているフレーム構造によってもたらされる１つの特徴として、再送信フィードバックが受信デバイスによって送信されることが可能であり、それによって送信デバイスは、特定のサブフレームにおいて送信されているデータパケットに関連した再送信フィードバックを、前記サブフレームが終了またはタイムアウトしてしまう前に受信することができる。このフィードバックに関する可能性を提供するフレーム構造は、たとえばＴＤＤに関して、あらゆるサブフレームにおいて複信方向切り替えを必要とし、それによって、あらゆるサブフレームにおいて、対応するガードピリオドオーバーヘッドをもたらす可能性がある。これは、あらゆるサブフレームに関するガードピリオドに対応する、通信リンクの過小利用を意味することになる。同様に、前述のようにＦＤＤに関しては、サブフレーム同士の間における相互依存関係を回避するために、サブフレームの最後のシンボルは、サブフレームにおいては、同じおよび／または対応するサブフレームにおいて再送信フィードバックが要求される場合には使用されるべきではない。
【００２２】
しかしながら、いくつかのアプリケーションにおいては、すべての使用事例において低いレイテンシが重要であるとは予想されないので、いくらか多くのレイテンシが与えられることが可能である。このアプリケーションにおいては、５Ｇ通信システムは、低いレイテンシが必要とされるトラフィックケースにおいては低いレイテンシを可能にすべきであるが、低いレイテンシに関連してコストがあるが利益がほとんどない場合には、すべてのトラフィックシナリオに関して低いレイテンシを不必要に強制すべきではないと予想される。たとえば、厳密なレイテンシ要件を伴わないＤＬの大量の送信に関しては、いくつかのサブフレームに関するアグリゲートされたフィードバックが送信されることが可能である。この方法においては、切り替え時間の量が低減され、オーバーヘッドも低減される。２つのＤＬサブフレームのフィードバックがアグリゲートされる一例に関して図３を参照されたい。
【００２３】
このアプリケーションにおいては、２つのトラフィックタイプは、遅延耐性のないトラフィック（たとえば、音声、ビデオ、および／またはタイムクリティカルなＭＴＣ）、ならびに遅延耐性のあるトラフィック（たとえば、バックグラウンドデータ、および／またはベストエフォートデータ）と呼ばれる。
【００２４】
次いで図７を参照すると、図７は、２つの通信デバイス８０および９０を含む通信システム１００を示している。これらの通信デバイスは、通信リンク７０を介して通信している。通信リンクは、図８において示されているように、アップリンク（ＵＬ）６０およびダウンリンク（ＤＬ）５０を含むことができる。本開示においては、ＵＬサブフレーム（再送信フィードバックを含むということを意味している）は、通信デバイス９０が送信デバイスの役割を有しているケースにおいてはＤＬ５０上で実行されることが可能であるということに留意されたい。
【００２５】
同じサブフレームにおいてフィードバックを提供することは、デコーダの実施態様によっては、より多くバッテリーを消費する可能性がある。なぜなら、端末は、受信されたデータをデコードするのに非常に短い時間しか有していないからである。短いレイテンシをアプリケーションが必要とする場合には、これは許容可能であるが、低いレイテンシをアプリケーションが必要としない場合には、デコーディングのためにより多くの時間を端末に提供して、ひいては潜在的なエネルギー節約を可能にすることが有益である可能性がある。
【００２６】
フィードバック信号のカバレッジは、フィードバック信号が送信される際に用いるエネルギーによって特定される。既に最大の出力で送信している、カバレッジの限られている端末は、より長いフィードバック信号持続時間によって、自分の送信エネルギーを、ひいてはカバレッジを増大させることのみが可能である。一定のサブフレーム長を前提として、あらゆるサブフレームにおいて長いフィードバックを提供すると、ＤＬ送信のための時間は、わずかしか残らない。図４を参照されたい。図４は、カバレッジの限られている端末が、どのようにして長いフィードバック信号を使用してカバレッジを確保しなければならないかを示している。したがって、あらゆるサブフレームにおいてフィードバックが送信される場合には、ＤＬ送信のために残される時間は多くない。フィードバックを送信する頻度を下げることが、通信チャネルおよび／または通信リンク７０のさらに効率的な利用であろう。
【００２７】
簡単に記述すると、低い遅延の再送信フィードバックをサポートする通信システム１００が、上述のように低い遅延のフィードバックに伴ってもたらされるＤＬリソースの過小利用の問題を緩和するための機構を提供することもできることを確実にするためのソリューションが提供される。
【００２８】
再び図７を参照すると、本明細書における実施形態が採用または適用されることが可能である通信システム１００が示されている。２つの通信デバイスが示されており、８０および９０と表示されている。再送信スキームをサポートする通信リンク７０も示されている。簡単にするために、再送信スキームに関連して、通信デバイス８０は、ｅＮＢであることが可能であり、送信デバイスの役割を有することになり、その一方で通信デバイス９０は、ＵＥであることが可能であり、受信デバイスの役割を有することになる。
【００２９】
送信デバイス８０はスケジューリングコマンドを送信することができるということが言及されるべきである。スケジューリングコマンドは、データパケットとともに送信されることが可能である。スケジューリングコマンドは、再送信フィードバック（たとえば、ＨＡＲＱ  ＡＣＫ／ＮＡＣＫ）が受信デバイス９０によっていつ送信されることになるかについての情報を含むことができる。
【００３０】
図５は、ＤＬ送信を示している。ＵＬにおいては、さまざまなサブフレームおよび／または時間インスタンスおよび／またはシンボルが、ＤＬ送信に関連した潜在的な再送信フィードバック機会として示されている。この例においては、スケジューリングコマンドにおいて提供される情報は、表１においてリストアップされている解釈を伴う２ビットワードであることが可能である。
2020127218.tif 000003
【００３１】
言い換えれば、スケジューリングコマンドは、再送信フィードバックが受信デバイス９０によっていつ送信されることになるかを示すタイミングインジケータを含むことができると言うことができる。そのようなタイミングインジケータは、フィードバックタイミングインジケータ（ＦＴＩ）と呼ばれる。ＦＴＩの一例が、表１において示されており、ＦＴＩの別の例が、表２において示されている。
2020127218.tif 000004
【００３２】
もちろん、別の粒度が適切であるケースにおいては、再送信フィードバックのためのタイミングを示すために、表１におけるような２ビット（４つの可能性）および表２におけるような１ビット（２つの可能性）とは異なる任意の数のビットが使用されることが可能である。ＦＴＩは、たとえば、サブフレーム内のシンボル、サブフレーム、またはそれらの組合せを示すことができるということに言及しておかなければならない。
【００３３】
これらの表におけるさまざまなコードワードの解釈は、たとえば、スケジュールされたデータレート、および／またはＭＩＭＯストリーム、および／またはＭＩＭＯストリームの数、および／またはトランスポートブロックサイズ、および／または通信リンク上の利用可能なリソース、および／または再送信バッファフィルレベル等などのその他のスケジューリング情報に応じて設定可能であることまたはそれらのスケジューリング情報に依存することが可能である。
【００３４】
フィードバックを送信するためのデフォルトの方法もあり得る。再送信フィードバックを送信するデフォルトの方法の一例は、たとえば、再送信フィードバックを、たとえば図２において示されているように現在のサブフレームの終わりに送信することであり得る。このケースにおいては、明示的な再送信フィードバックタイミング情報は提供されない。そのような情報は、デフォルトのオプションとは異なるタイミングで再送信フィードバックが送信されるべきである場合に、たとえばスケジューリングコマンド内に含まれるだけとなる。
【００３５】
シグナリングされるタイミング（すなわち、フィードバックをいつ送信すべきか）は、サブフレーム全体がデータのために使用されるか否かも特定し得る。一例として表１を使用すると、コードワード００は、このサブフレームにおいてフィードバックが必要とされているということ、および対応するＤＬデータパケット送信が１ビット早く終了される必要があるということを意味することになる。図２において示されているように、ダウンリンクサブフレームの最後の部分は使用されない。その一方で、コードワード０１は、次の連続したサブフレームまでフィードバックは来ないはずなのでサブフレーム全体がデータ送信のために使用されることが可能であるということを意味することになる。コードワード１０および１１に関しても同様である。
【００３６】
上述の例は、ｅＮＢとＵＥとの間におけるＤＬに限定されないということに言及しておくべきである。上述の例は、通信のためにＡＲＱおよび／またはＨＡＲＱなどの再送信スキームを使用する通信システムにおいて、たとえばｅＮＢ同士の間における、またはＵＥ同士の間における、または任意の２つのデバイスの間における任意の通信リンク上で使用されることが可能である。
【００３７】
上述の問題は、フィードバックタイミングインジケータ（ＦＴＩ）を送信することによってフィードバック送信のタイミングを制御するための、通信デバイス８０に関する、およびフィードバックタイミングインジケータを受信してそのフィードバックタイミングインジケータに基づいて再送信フィードバックを送信することによって再送信フィードバックを送信するための、通信デバイス９０に関する方法および装置を提供する本明細書における例示的な実施形態によって対処される。
【００３８】
このソリューションは、添付の特許請求の範囲によって規定されている。
【００３９】
再び図７を参照すると、本明細書における実施形態が採用または適用されることが可能である通信ネットワーク１００が示されている。２つの通信デバイスが示されており、８０および９０と表示されている。通信リンク７０も示されている。
【００４０】
以降では、本明細書における実施形態に従って、ＡＲＱおよび／またはＨＡＲＱに関連したフィードバック送信のタイミングを制御するための、通信システム１００の通信デバイス８０によって／において実行される方法が提供されている。
【００４１】
この方法は、図１０において示されており、フィードバックタイミングインジケータ（ＦＴＩ）を送信すること４２を含み、そのインジケータは、インジケータのセットから選択される。
【００４２】
この方法は、上述の通信デバイス８０によって／において実施および実行される。次いで、通信デバイス８０によって実行されるアクションが、図１０に関連して記述され、下記を含む。
【００４３】
アクション４２において、通信デバイス８０は、フィードバックタイミングインジケータ（ＦＴＩ）を送信するように設定および／または適合されている。フィードバックは、通信デバイス８０からのデータ送信に関連しており、通信デバイス８０は、図７における他方の通信デバイス９０との通信のために再送信スキームを使用する。ＦＴＩは、さまざまなインジケータのセットから選択されることが可能である。それぞれのＦＴＩは、通信デバイス８０によって再送信フィードバックが要求される時間構造、たとえば、特定のサブフレームおよび／またはスロットおよび／または無線フレームおよび／または送信時間間隔（ＴＴＩ）などを表すことができる。ＦＴＩは、どの時間構造においてＦＴＩが送信されるかに関連した相対的な時間構造を表すこともできる。たとえば、ＦＴＩがサブフレームｎにおいて送信される場合には、ＦＴＩは、サブフレームｎ＋ｋを示すことができ、サブフレームｎは、ＦＴＩが送信されるサブフレームである。ＦＴＩは、たとえばＬＴＥにおいて規定されているように、ダウンリンク制御情報（ＤＣＩ）内に含めて送信されることが可能である。ＤＣＩは、いくつかのＤＬサブフレームの間、たとえば、次のＤＣＩが送信されるまで有効であることが可能であるＦＴＩを含むことができる。ＦＴＩは、必ずしもあらゆるＤＬサブフレームにおいて送信されるわけではないということに言及しておかなければならない。いくつかの実施形態においては、通信デバイスは、事前に設定されるＦＴＩを伴って半静的に構成されることが可能であり、事前に設定されるＦＴＩは、たとえば３ＧＰＰに従ったたとえばＲＲＣシグナリングなどのＬ３シグナリングを伴って設定されることが可能である。ＤＣＩは、サブフレームのバンドルをスケジュールすることもでき、完全なバンドルのフィードバックが、同じフィードバック送信において提供される。このケースにおいては、ＦＴＩは、バンドルに関するフィードバックを搬送するフィードバック送信のタイミングを指す。たとえば図５ｂを参照されたい。図５ｂにおいては、サブフレームのバンドルは、サブフレームｎおよびサブフレームｎ＋１であり、完全なバンドルの再送信フィードバックが、サブフレームｎ＋ｋにおいて受信される。別の例においては、ＦＴＩは、再送信フィードバックが要求される特定のフレームおよび／またはサブフレームを示さない場合があり、代わりに将来のＦＴＩおよび／またはＤＣＩが、送信デバイスによって送信されることになる。将来のＦＴＩおよび／またはＤＣＩは、フィードバックがいつ要求されるかを示すことになる。このシナリオは、図５ｃにおいて示されており、図５ｃでは、送信デバイス８０が、「ポーリングされる」フィードバックを示すＦＴＩをＤＬサブフレームｎにおいて送信することができる。将来のＤＬサブフレームにおいては、ＵＬグラントを伴うＤＣＩが、送信デバイス８０によって送信され、このＤＣＩは、特定の将来のＵＬサブフレームｎ＋ｋ＋４において再送信フィードバックが要求されるということを示す。しかしながら、このＤＣＩは、将来のＵＬサブフレームｎ＋ｋ＋４を示すことに限定されず、任意の適切な将来のＵＬサブフレームが示されることが可能であるということに留意されたい。「ポーリングされる」フィードバックを示すＦＴＩは、上記の表１に関連して記述されている。
【００４４】
一実施形態によれば、ＦＴＩは、通信デバイス８０内のスケジューリング情報に基づいて選択されることが可能である。たとえば、通信が進行中である通信リンク７０が、低い負荷を経験しており、したがって多くの空いているリソースがある場合には、通信リンクの過小利用は、高い負荷がある場合ほど重大ではないと想定することができる。したがって、トラフィックに関するサービス品質を満たすのにキャパシティとレイテンシとの間におけるトレードオフが必要とされない場合があり、したがって、提供されるトラフィックに対していかなる制約も課すことなく、より短いレイテンシが提供されることが可能である。ＦＴＩを選択する際に有用である場合があるその他のスケジューリング情報は、トラフィックタイプであり得る。通信デバイス８０が、遅延耐性のあるデータをスケジュールしている場合には、ＦＴＩは、再送信フィードバックをあまりにも早く要求しないように、ひいては通信リンクの過小利用の望ましくない影響をもたらさないように選択されることが可能である。スケジューリング情報は、たとえば、ＭＩＭＯストリームの数、データパケットのトランスポートブロック（ＴＢ）サイズ、通信デバイス８０の再送信バッファサイズ、通信リンクの利用可能なリソースブロックおよび／もしくはキャパシティ、ならびに／または通信リンクの周波数帯域幅を含むことができる。上述のスケジューリング情報は、送信されるデータのサイズおよび／もしくは量ならびに／または送信されるデータビットレートに関連する場合があるということに言及しておかなければならない。たとえば、利用可能なＭＩＭＯストリームの数が多ければ多いほど、ＴＢサイズもそれだけ大きく、利用可能なリソースが多ければ多いほど、送信されるデータの量および／または送信されるデータのビットレートもそれだけ多大であることを意味する。したがって、受信デバイス９０に関するデコーディングは、それだけ複雑になる。したがって、受信デバイス９０のための促進を行うために、送信デバイス８０は、送信されるデータの量が少なく、および／または送信されるデータレートが低く、それによって受信デバイス９０上の処理要件および／またはデコーディング要件を緩和する場合と比較して、さらに後の段階でフィードバックを要求することができる。たとえば、受信デバイス９０上の処理要件および／またはデコーディング要件を緩和することは、ＦＴＩを用いてさらに後のサブフレームを示すことによって行われることが可能である。たとえば、送信デバイス８０は、受信デバイス９０におけるデコーディング要件および／または処理要件を緩和するために、たとえば「００＝このサブフレーム」とは対照的に、たとえば表１および図５に従って「１０＝次の次のサブフレーム」において再送信フィードバックが要求されるということを示すことができる。
【００４５】
例示的な一実施形態においては、この方法はまた、フィードバックタイミングインジケータに従って、再送信スキームに関連して、再送信フィードバックを受信する任意選択のステップ４４を含む。たとえば、サブフレームｎにおいて、通信デバイス８０によってＦＴＩが送信され、そのＦＴＩが、たとえばサブフレームｎ＋１において、他方の通信デバイス９０によって再送信フィードバックが送信されることになるということを示す場合には、通信デバイス８０は、その再送信フィードバックをサブフレームｎ＋１において受信する。
【００４６】
別の例示的な実施形態においては、この方法はまた、ＦＴＩとともにデータを送信することを含む。たとえば、サブフレームｎにおいて、通信デバイス８０によってＦＴＩが送信される場合には、サブフレームｎにおいて送信されるＤＬデータもある。この例示的な実施形態においては、ＦＴＩがたとえば、サブフレームｎ（同じサブフレーム）において通信デバイス８０が再送信フィードバックを要求するということを示す場合には、送信されるＤＬデータは、サブフレーム全体を占めることのないようにアレンジおよび／またはフォーマット設定および／またはスケジュールされることが可能である。なぜなら、再送信フィードバックは、たとえば図１および図２において示されているようにＤＬサブフレームｎの終わりよりも前である可能性がある再送信フィードバックの送信よりも前に通信デバイス９０によって受信されるデータのみに関連し得るからである。これは、上述のようなサブフレーム同士の間における相互依存関係を回避することをサポートすることになる。したがって、時間構造、たとえばサブフレームは、ＦＴＩに基づいて再フォーマットおよび／またはアレンジおよび／またはスケジュールされることが可能である。
【００４７】
別の例示的な実施形態においては、ＦＴＩは、たとえばサブフレームｎにおいて、データとともに送信されることが可能である。ＦＴＩは、ＦＴＩが送信されるサブフレームと相対的な将来のサブフレームを示すことができる。たとえば図５ｂを参照されたい。図５ｂでは、サブフレームｎにおいておよび／またはサブフレームｎの後に送信されたデータに関してサブフレームｎ＋ｋにおいて再送信フィードバックが要求されるということをＦＴＩが示しているということが示されている。この特定の例においては、ＦＴＩは、ＦＴＩが送信されたサブフレームと相対的なサブフレームにおいて再送信フィードバックが要求されるということを示している。その他の例示的な実施形態においては、ＦＴＩは、データが送信された時点と相対的なサブフレームを示すことができる。
【００４８】
上記によれば、フィードバック送信のタイミングを制御するための、通信デバイス８０によって実行される主要なステップは、下記のように要約されることが可能であり、図１０において示されている。
フィードバックタイミングインジケータ（ＦＴＩ）を送信すること４２、そのインジケータは、インジケータのセットから選択される。
【００４９】
上で開示されているように、この方法を実行することによって達成されるいくつかの利点がある。たとえば、
再送信フィードバックのフレキシブルなタイミングを可能にすること、
レイテンシとキャパシティとの間におけるトレードオフを可能にすること、
負荷が低い場合に、短いレイテンシを可能にすること、
サブフレーム同士の間における相互依存関係を回避すること、
貧弱な無線カバレッジのケースにおいて、レイテンシ要件を満たすことと、バッテリーを節約することとの間におけるトレードオフを最適化することである。
【００５０】
本明細書における実施形態によれば、通信リンク７０を介した通信に関するフィードバック送信のタイミングを制御するように適合されている通信デバイス８０がさらに提供されており、その通信リンクは、再送信スキームをサポートし、通信デバイス８０は、フィードバックタイミングインジケータ（ＦＴＩ）を送信するようにさらに適合されており、そのインジケータは、インジケータのセットから選択される。
【００５１】
対応する方法実施形態の特徴に関する詳細は、既に上で提供されており、したがって、そのような詳細を繰り返すことは不要と思われる。これは、以降で開示されることになる通信デバイス８０に関連したすべての実施形態に当てはまる。
【００５２】
例示的な一実施形態においては、ＦＴＩの選択がスケジューリング情報に基づく通信デバイス８０が開示される。
【００５３】
別の例示的な実施形態においては、第１の時間間隔および第２の時間間隔が別々の長さである通信デバイス８０が開示される。
【００５４】
別の例示的な実施形態においては、スケジューリング情報が、ＭＩＭＯストリームの数、データパケットのトランスポートブロック（ＴＢ）サイズ、再送信バッファサイズ、通信リンクの利用可能なリソースブロック、通信リンクの周波数帯域幅、トラフィックタイプのうちの少なくとも１つを含む通信デバイス８０が開示される。
【００５５】
さらなる例示的な実施形態においては、フィードバックタイミングインジケータが時間構造を示す通信デバイス８０が開示される。さらに別の例示的な実施形態においては、時間構造が、送信時間間隔、サブフレーム、無線フレーム、シンボル時間長、シンボルのうちの１つを含む通信デバイス８０が開示される。
【００５６】
例示的な一実施形態においては、通信デバイス８０は、フィードバックタイミングインジケータに従って、再送信スキームに関連して、再送信フィードバックを受信するようにさらに適合されている。
【００５７】
別の例示的な実施形態においては、ＦＴＩを送信することが、データを送信することをさらに含む通信デバイス８０が開示される。
【００５８】
別の例示的な実施形態においては、データのフォーマットおよび／またはスケジューリングおよび／またはアレンジがＦＴＩに基づく通信デバイス８０が開示される。
【００５９】
さらに別の例示的な実施形態においては、データが、少なくとも１つのデータパケットを含む通信デバイス８０が開示される。
【００６０】
本明細書における実施形態によれば、上で開示されているように、プロセッサとメモリとを含む通信デバイス８０がさらに提供されており、そのメモリは、そのプロセッサによって実行可能な命令を含み、それによって通信デバイス８０は、フィードバック送信のタイミングを制御するための主要なステップを実行するように機能し、および／または適合されており、したがって下記のように要約されることが可能であり、図１０において示されている。
フィードバックタイミングインジケータ（ＦＴＩ）を送信すること、そのインジケータは、インジケータのセットから選択される。
【００６１】
上で開示されているように、通信デバイス８０によって／において実行される方法に関連して前に開示されているのと同じ利点が、これによっても達成される。
【００６２】
以降では、本明細書における実施形態に従って、通信リンク７０を介して通信している通信デバイス９０によって／において実行される方法が提供されている。この方法は、図１１において示されており、フィードバックタイミングインジケータ（ＦＴＩ）を受信すること、およびそのフィードバックタイミングインジケータに基づいて再送信フィードバックを送信することを含む。
【００６３】
この方法は、上述の通信デバイス９０によって／において実施および実行される。次いで、通信デバイス９０によって実行されるアクションが、図１１に関連して記述され、下記を含む。
【００６４】
アクション５２において、通信デバイス９０は、通信デバイス８０からフィードバックタイミングインジケータ（ＦＴＩ）を受信するように設定および／または適合されている。ＦＴＩは、たとえば、サブフレームまたは送信時間間隔またはシンボルまたは無線フレームなどの時間構造において受信されることが可能である。
【００６５】
アクション５４において、通信デバイスは、指定された時間構造をデコードし、その時間構造において受信されたＦＴＩおよび／またはデータを入手することができる。ＦＴＩに基づいて、通信デバイスは、どの時間構造において、たとえば、どのサブフレームにおいて、フィードバックが要求されるかを特定する。この特定の例は、図５ａ〜ｃおよび上記の表１または表２の記述に関連して見つけることができる。時間構造がデータを含むケースにおいては、通信デバイス９０は、データに関するＣＲＣを計算して、関連した再送信フィードバックを入手することができる。次いで通信デバイス９０は、関連したフィードバックを、特定されたおよび／または示された時間構造、たとえばサブフレーム、とりわけＵＬサブフレームにおいて送信する。
【００６６】
例示的な一実施形態においては、ＦＴＩは、上述のような時間構造を示す。時間構造は、
送信時間間隔、
サブフレーム、
無線フレーム、
シンボル時間長、
シンボル
のうちの１つであることが可能である。
【００６７】
例示的な一実施形態においては、この方法はまた、再送信スキームに関連したデータを受信することを含む。そのデータは、データパケットを含むことができる。このケースにおいては、通信デバイス９０は、データパケットに関するＣＲＣを計算して、関連した再送信フィードバック（すなわち、ＡＣＫまたはＮＡＣＫ）を入手し、その関連した再送信フィードバックを、受信されたＦＴＩに従って送信する。受信されたＦＴＩで示された時間構造、たとえばサブフレームに従って再送信フィードバックを送信する。
【００６８】
この方法の別の例示的な実施形態においては、ＦＴＩインジケータが、ＦＴＩが受信された時間構造と相対的な時間構造を示すことができる。一例として、再送信フィードバックが、たとえば「次の次の」サブフレームにおいて要求されるということをＦＴＩが示す場合には、それは、どのサブフレームにおいてＦＴＩが受信されたかに関連した「次の次の」サブフレームに関連し得る。
【００６９】
この方法の別の例示的な実施形態においては、ＦＴＩインジケータは、データが受信された時間構造と相対的な時間構造を示すことができる。たとえば、再送信フィードバックが、たとえば「次の次の」サブフレームにおいて要求されるということをＦＴＩが示す場合には、それは、データが受信された時間構造に関連した「次の次の」サブフレーム、とりわけ、データ、たとえば再送信スキームに関連したデータを含むサブフレームのバンドルの最後のＤＬサブフレームに関連し得る。
【００７０】
この方法の別の例示的な実施形態においては、受信されるデータのフォーマットがＦＴＩに基づく。たとえば、「このサブフレーム」において再送信フィードバックが要求されるということをＦＴＩが示している場合には、受信されたデータは、図１において示されているようにＤＬサブフレーム全体を完全に占めることはできない。たとえば、「次のサブフレーム」において再送信フィードバックが要求されるということをＦＴＩが示している場合には、ＤＬサブフレームは、図２において示されているようにＤＬデータで完全に占められることが可能であり、図２では、第１のＤＬサブフレームは、データで完全に占められている。受信されるデータのフォーマットはしたがって、ＦＴＩに基づくことが可能である。
【００７１】
ＦＴＩは、たとえばＬＴＥにおいて規定されているように、ダウンリンク制御情報（ＤＣＩ）内に含めて受信されることが可能である。ＤＣＩは、１つまたはいくつかのＤＬサブフレームの間、たとえば、次のＤＣＩが受信されるまで有効であることが可能であるＦＴＩを含むことができる。ＦＴＩは、必ずしもあらゆるＤＬサブフレームにおいて受信されるわけではないということに言及しておかなければならない。ＦＴＩは、時間構造においてデータとともに受信されることが可能である。
【００７２】
上記によれば、再送信フィードバックを送信するための、通信デバイス９０によって実行される主要なステップは、下記のように要約されることが可能であり、図１１において示されている。
フィードバックタイミングインジケータ（ＦＴＩ）を受信すること５２、および
そのフィードバックタイミングインジケータに基づいて再送信フィードバックを送信すること５４。
【００７３】
通信デバイス９０における方法は、通信デバイス８０における方法に関連して、上述の方法と相補的なステップを実行することができるので、通信デバイス９０における方法を実行することによって、たとえば下記と同じ利点が達成される。
再送信フィードバックのフレキシブルなタイミングを可能にすること、
レイテンシとキャパシティとの間におけるトレードオフを可能にすること、
負荷が低い場合に、短いレイテンシを可能にすること、
サブフレーム同士の間における相互依存関係を回避すること、
貧弱な無線カバレッジのケースにおいて、レイテンシ要件を満たすことと、バッテリーを節約することとの間におけるトレードオフを最適化すること。
【００７４】
本明細書における実施形態によれば、通信リンク７０を介した通信に関する再送信フィードバックを送信するように適合されている通信デバイス９０がさらに提供されており、その通信リンクは、再送信スキームをサポートし、通信デバイス９０は、フィードバックタイミングインジケータ（ＦＴＩ）を受信すること、およびそのフィードバックタイミングインジケータに基づいて再送信フィードバックを送信するようにさらに適合されている。
【００７５】
対応する方法実施形態の特徴に関する詳細は、既に上で提供されており、したがって、そのような詳細を繰り返すことは不要と思われる。これは、以降で開示されることになる通信デバイス９０に関連したすべての実施形態に当てはまる。
【００７６】
例示的な一実施形態においては、ＦＴＩが時間構造において受信される通信デバイス９０が開示される。
【００７７】
別の例示的な実施形態においては、ＦＴＩが時間構造を示す通信デバイス９０が開示される。
【００７８】
別の例示的な実施形態においては、時間構造が、
送信時間間隔、
サブフレーム、
無線フレーム、
シンボル時間長、
シンボル
のうちの少なくとも１つを含む通信デバイス９０が開示される。
【００７９】
別の例示的な実施形態においては、再送信スキームに関連したデータを受信するようにさらに適合されている通信デバイス９０が開示される。
【００８０】
別の例示的な実施形態においては、ＦＴＩが、ＦＴＩが受信される時間構造に関連した時間構造を示す通信デバイス９０が開示される。
【００８１】
別の例示的な実施形態においては、ＦＴＩが、データが受信される時間構造に関連した時間構造を示す通信デバイス９０が開示される。
【００８２】
別の例示的な実施形態においては、再送信フィードバックが再送信スキームに関連している通信デバイス９０が開示される。
【００８３】
別の例示的な実施形態においては、再送信スキームに関連した受信されるデータのフォーマットがＦＴＩに基づく通信デバイス９０が開示される。
【００８４】
本明細書における実施形態によれば、上で開示されているように、プロセッサとメモリとを含む通信デバイス９０がさらに提供されており、メモリは、プロセッサによって実行可能な命令を含み、それによって通信デバイス９０は、再送信フィードバックを送信するための主要なステップを実行するように機能し、および／または適合されており、したがって下記のように要約されることが可能であり、図１１において示されている。
フィードバックタイミングインジケータ（ＦＴＩ）を受信すること、および
そのフィードバックタイミングインジケータに基づいて再送信フィードバックを送信すること。
【００８５】
上で開示されているように、通信デバイス９０によって／において実行される方法に関連して前に開示されているのと同じ利点が、これによっても達成される。
【００８６】
本明細書における実施形態によれば、フィードバックのためのタイミングを制御するように適合されている通信デバイス８０がさらに提供されており、通信デバイス８０は、フィードバックタイミングインジケータ（ＦＴＩ）を送信するための送信機モジュール８２を含み、そのインジケータは、インジケータのセットから選択される。
【００８７】
本明細書における実施形態によれば、再送信フィードバックを送信するように適合されている通信デバイス９０がさらに提供されており、通信デバイス９０は、フィードバックタイミングインジケータ（ＦＴＩ）を受信する受信機モジュール９２と、そのフィードバックタイミングインジケータ（ＦＴＩ）に基づいて再送信フィードバックを送信するための送信機モジュール９３とを含む。
【００８８】
本明細書における実施形態によれば、通信リンク７０を介した通信に関するフィードバック送信のタイミングを制御するように適合されている通信デバイス８０が開示されており、その通信リンクは、再送信スキームをサポートし、通信デバイス８０は、処理回路およびメモリを含み、前記メモリは、前記プロセッサによって実行可能な命令を含み、それによって前記通信デバイスは、フィードバックタイミングインジケータ（ＦＴＩ）を送信するように機能し、そのインジケータは、インジケータのセットから選択される。
【００８９】
本明細書における実施形態によれば、通信リンク７０を介した通信に関する再送信フィードバックを送信するように適合されている通信デバイス９０が開示されており、その通信リンクは、再送信スキームをサポートし、通信デバイス９０は、処理回路およびメモリを含み、前記メモリは、前記プロセッサによって実行可能な命令を含み、それによって前記通信デバイスは、フィードバックタイミングインジケータ（ＦＴＩ）を受信すること、およびそのフィードバックタイミングインジケータに基づいて再送信フィードバックを送信するように機能する。
【００９０】
図１２を参照すると、前に開示されている実施形態による通信デバイス８０の例示的なコンポーネントのブロック図が示されている。通信デバイス８０は、送信機回路または送信機モジュール８２、受信機回路または受信機モジュール８３、プロセッサ８４または処理モジュールまたは処理回路、メモリまたはメモリモジュール８１、および任意選択でアンテナ８５を含むことができる。
【００９１】
アンテナ８５は、エアインターフェースを介して無線周波数（ＲＦ）信号を送信および／または受信するための１つまたは複数のアンテナを含むことができる。アンテナ８５は、たとえば、送信機回路８２からＲＦ信号を受信すること、およびそれらのＲＦ信号を、エアインターフェースを介して１つまたは複数のワイヤレスデバイス、たとえばＵＥまたはＳＴＡへ送信すること、ならびに１つまたは複数のワイヤレスデバイス、たとえばＵＥまたはＳＴＡからエアインターフェースを介してＲＦ信号を受信すること、およびそれらのＲＦ信号を受信機回路８３に提供することが可能である。
【００９２】
処理モジュール／回路８４は、プロセッサ、マイクロプロセッサ、特定用途向け集積回路（ＡＳＩＣ）、フィールドプログラマブルゲートアレイ（ＦＰＧＡ）などを含む。プロセッサ８４は、通信デバイス８０およびそのコンポーネントのオペレーションを制御する。メモリ（回路またはモジュール）８５は、プロセッサ８４によって使用されることが可能であるデータおよび命令を格納するために、ランダムアクセスメモリ（ＲＡＭ）、読み取り専用メモリ（ＲＯＭ）、および／または別のタイプのメモリを含む。通信デバイス８０は、図１２において示されていないさらなるコンポーネントを含むことができる。
【００９３】
メモリ８１は、プロセッサ８４によって実行可能な命令を含むことができ、それによって通信デバイス８０は、前述の方法ステップを実行するように機能する。コンピュータ可読コード手段を含むコンピュータプログラムも提供されており、そのコンピュータ可読コード手段は、たとえばプロセッサ８４を用いて、通信デバイス８０において実行されたときに、上述の方法ステップを通信デバイス８０に実行させ、上述の方法ステップは、フィードバックタイミングインジケータ（ＦＴＩ）を送信することを含み、そのインジケータは、インジケータのセットから選択される。
【００９４】
図１３を参照すると、前に開示されている実施形態による通信デバイス９０の例示的なコンポーネントのブロック図が示されている。通信デバイス９０は、送信機回路または送信機モジュール９３、受信機回路または受信機モジュール９２、プロセッサ９４または処理モジュールまたは処理回路、メモリまたはメモリモジュール９１を含むことができ、任意選択で１つのアンテナ９５を含むこともできる。
【００９５】
アンテナ９５は、エアインターフェースを介して無線周波数（ＲＦ）信号を送信および／または受信するための１つまたは複数のアンテナを含むことができる。アンテナ９５は、たとえば、送信機回路９３からＲＦ信号を受信すること、およびそれらのＲＦ信号を、エアインターフェースを介して１つまたは複数の無線ネットワークノード、すなわち無線基地局、たとえばｅＮｏｄｅＢまたはｅＮＢまたはＡＰへ送信すること、ならびに１つまたは複数の無線基地局、たとえばｅＮｏｄｅＢまたはｅＮＢまたはＡＰからエアインターフェースを介してＲＦ信号を受信すること、およびそれらのＲＦ信号を受信機回路９２に提供することが可能である。
【００９６】
処理モジュール／回路９４は、プロセッサ、マイクロプロセッサ、特定用途向け集積回路（ＡＳＩＣ）、フィールドプログラマブルゲートアレイ（ＦＰＧＡ）などを含む。プロセッサ９４は、通信デバイス９０およびそのコンポーネントのオペレーションを制御する。メモリ（回路またはモジュール）９１は、プロセッサ９４によって使用されることが可能であるデータおよび命令を格納するために、ランダムアクセスメモリ（ＲＡＭ）、読み取り専用メモリ（ＲＯＭ）、および／または別のタイプのメモリを含む。通信デバイス９０は、図１３において示されていないさらなるコンポーネントを含むことができる。
【００９７】
メモリ９１は、プロセッサ９４によって実行可能な命令を含むことができ、それによって通信デバイス９０は、前述の方法ステップを実行するように機能する。コンピュータ可読コード手段を含むコンピュータプログラムも提供されており、そのコンピュータ可読コード手段は、たとえばプロセッサ９４を用いて、通信デバイス９０において実行されたときに、上述の方法ステップを通信デバイス９０に実行させ、上述の方法ステップは、フィードバックタイミングインジケータ（ＦＴＩ）を受信すること、およびそのフィードバックタイミングインジケータに基づいて再送信フィードバックを送信することを含む。これは、処理モジュール９４、受信機モジュール９２、および送信機モジュール９３を用いて行われることが可能である。
【００９８】
フィードバックは、たとえばＡＲＱおよび／またはＨＡＲＱなどの再送信スキームを使用して送信されたデータパケットに関連した再送信フィードバックであることが可能であり、フィードバックは、関連したデータパケットが正しく受信されたか否かを示す。
【００９９】
通信デバイスは、送信デバイスおよび／または受信デバイスの役割を担うことおよび／または有することが可能である。
【０１００】
送信デバイスは、データパケットをＤＬサブフレームおよび／またはＤＬサブフレームの一部の中に含めて送信することができ、送信されたデータパケットに関連した再送信フィードバックをＵＬサブフレームおよび／またはＵＬサブフレームの一部の中に含めて受信することができる。
【０１０１】
受信デバイスは、データパケットをＤＬサブフレームおよび／またはＤＬサブフレームの一部の中に含めて受信することができ、送信されたデータパケットに関連した再送信フィードバックをＵＬサブフレームおよび／またはＵＬサブフレームの一部の中に含めて送信することができる。
【０１０２】
ＵＬサブフレームまたはＤＬサブフレームの一部は、たとえばシンボルであることが可能である。シンボルは、サブフレームよりも短い時間構造であることが可能である。より短い時間構造とは、シンボルの時間長がサブフレームの間よりも短いということを意味すると言える。シンボルは一般に、１つまたは複数のガードインターバル、とりわけサイクリックプレフィックスを含むことができる。シンボルは、シンボル時間長を有することができ、シンボル時間長は、たとえば基準によって事前に特定されること、および／またはシンボル時間間隔に関連付けられることが可能である。事前に規定された別々のシンボル時間長があることが可能であり、それらの別々のシンボル時間長は、別々のシンボルまたは別々のタイプのシンボルに関連付けられることが可能である。シンボルは、（たとえば、エラー訂正のために）変調および／またはエンコードされたデータのブロック（たとえば、変調またはエンコーディングに応じた所与の数のビット）を含む信号が送信される（または受信される）時間間隔を表すことおよび／または指すことが可能である。サブフレームはシンボルを含むことができるということに言及しておく。１つのサブフレームに含まれるシンボルの数は、たとえばシンボル時間間隔に依存することが可能である。シンボルとともに送信されるビットの数は、変調に依存することが可能であり、変調およびコード化されたビットの最小のレゾリューションを含むことができる。
【０１０３】
このアプリケーションにおけるサブフレームがＵＬサブフレームとして規定されるか、またはＤＬサブフレームとして規定されるかは、そのサブフレームの内容に関連して特定されることが可能である。ＤＬサブフレームは、送信デバイスによって送信されるサブフレームであることが可能であり、そのサブフレームは、データパケットを含む。
【０１０４】
ＵＬサブフレームは、受信デバイスによって送信されるサブフレームであることが可能であり、そのサブフレームは、送信デバイスによってＤＬサブフレームにおいて送信されたデータパケットに関連した再送信フィードバックを含む。
【０１０５】
データストリームは、たとえば、通信システム内の複数の通信デバイスの間におけるデータパケットのシーケンスであることが可能である。
【０１０６】
データストリームのそれぞれの終わりにおいて、通信デバイスが存在することが可能である。このコンテキストにおける通信デバイスが、たとえばＤＬサブフレーム上でデータパケットを送信し、送信されたデータパケットに関連した再送信フィードバックをＵＬサブフレーム上で受信する場合には、その通信デバイスは、送信デバイスであることが可能である。通信デバイスが、ＤＬサブフレーム上でデータパケットを受信し、送信されたデータパケットに関連した再送信フィードバックをＵＬサブフレーム上で送信する場合には、その通信デバイスは、受信デバイスと呼ばれることが可能である。上記の規定によって、ＵＬおよびＤＬは、送信の内容に基づいて規定されるということに留意されたい。従来の規定によれば、ダウンリンクは、基地局からＵＥまたはモバイル電話への送信を搬送する。しかしながら本開示においては、従来のＤＬサブフレームは、ＵＬサブフレームと呼ばれることが可能である。たとえば、あるＵＥが送信デバイスの役割を有するとみなされ、したがってそのＵＥは、基地局からの再送信フィードバックを受信する。再送信フィードバックは、ＵＬサブフレーム上で送信され、この例においては、基地局が再送信フィードバックを送信することになる。これは、基地局が、通常は基地局からＵＥへの方向として特定される従来の「ダウンリンク」方向とは対照的にＵＬサブフレーム上で再送信フィードバックを送信するということを意味する。
【０１０７】
通信デバイスは、一般には無線基地局であり、当技術分野においては、マクロ基地局、ノードＢ、またはＢノード、ｅＮｏｄｅＢ（ｅＮＢ）と呼ばれる場合もあり、また当技術分野においては、マイクロ／フェムト／ピコ基地局、マイクロ／フェムト／ピコノードＢ、またはマイクロ／フェムト／ピコＢノード、マイクロ／フェムト／ピコｅＮｏｄｅＢ（ｅＮＢ）、アクセスノードまたはアクセスポイントまたは中継ノードと呼ばれる場合もある。その上、通信デバイスは、通信システムにおけるその他の任意のデバイス、たとえば、通信システムを介して通信することを可能にされている任意の形態のデバイス、たとえば、モバイル電話（「セルラー」電話）、およびモバイルターミネーションを有するラップトップであることも可能であり、ひいては、たとえば、ポータブルデバイス、ポケットデバイス、ハンドヘルドデバイス、たとえば、モバイル電話、スマートフォン、携帯情報端末（ＰＤＡ）、コンピュータが含まれているデバイス、たとえば、デスクトップ、ラップトップ、車両、またはその他のデバイス、たとえば、メーター、家庭用機器、医療機器、マルチメディアデバイス、または、音声および／もしくはデータ通信、とりわけ、遅延耐性のない通信を提供する任意のマシン型通信（ＭＴＣ）デバイス、たとえば、センサ、アクチュエータなどであることが可能である。
【０１０８】
時間構造に関連しているフィードバックタイミングインジケータ（ＦＴＩ）は、そのＦＴＩが時間構造における規定された位置を示すということを意味することが可能である。それは、サブフレーム番号もしくはサブフレーム内のシンボル位置によって識別されるサブフレームなどの時間構造の絶対的なインスタンスを、ならびに／またはＦＴＩが、時間構造の絶対的なおよび／もしくは特定のインスタンスに関連した時間構造を示すということを示している可能性がある。後者の例は、ＦＴＩが時間構造における相対的な位置を示すかどうかと言うことができる。
【０１０９】
通信システムは、３ＧＰＰによって規定されているような任意の通信システム、たとえば、ＵＭＴＳ、ＬＴＥ、ＧＳＭ、ＣＤＭＡ２０００、またはコアネットワーク、たとえばＥＰＳ、またはそれらの任意の組合せであることが可能である。
【０１１０】
通信リンクは、複数の通信デバイスを接続する通信チャネルである。通信リンクは、実際の物理的なリンクであることが可能であり、または１つもしくは複数の実際の物理的なリンクを使用する論理的なリンクであることが可能である。物理的なリンクの例は、たとえば、たとえばＵＥとｅＮＢとの間における無線リンク、通信システム内のノード同士の間における光ファイバ、または銅ケーブル、または同軸ケーブル、またはその他の任意の情報搬送手段、またはそれらの任意の組合せであることが可能である。
【０１１１】
通信リンクは、ＡＲＱおよび／またはＨＡＲＱなどの再送信スキームをサポートすることができる。通信リンクが再送信スキームをサポートしている場合には、通信デバイスおよび／または受信デバイスは、データパケットが正しく受信されているか否かを通信デバイスおよび／または送信デバイスに示すために、通信リンクの終わりにおいて再送信フィードバックを使用することができる。
【０１１２】
次いで図９を参照する。この図においては、対応するＵＬサブフレームおよびＤＬサブフレームが示されている。簡単にするために、伝搬遅延または関連したタイムシフトの影響は考慮されていない。現在の絶対時間が時間軸上のｔ０とｔ１との間にあると想定される場合には、現在のサブフレームはサブフレームｎであると言うことができる。現在のサブフレームに関連して、同じサブフレームにおいて再送信フィードバックが要求される場合には、それは、受信デバイスによってＵＬサブフレームｎにおいて送信されることを要求される。現在のサブフレームに関連して、次のサブフレームにおいてフィードバックが要求されることが可能であり、次いでフィードバックは、ＵＬサブフレームｎ＋１において送信されることになり、同様に、次の次のサブフレームにおいてフィードバックが要求される場合には、それは、ＵＬサブフレームｎ＋２において送信されることを要求されることになる。
【０１１３】
同じサブフレームにおいて再送信フィードバックを受信することは、ＤＬサブフレームがタイムアウトしてしまう前に送信デバイスによって再送信フィードバックが受信されるということ、および／またはＤＬサブフレームが終了してしまう前に受信デバイスによってフィードバックが送信されるということ、および／または対応するＵＬサブフレームが終了してしまう前に受信デバイスによってフィードバックが送信されるということを意味することが可能である。
【０１１４】
同じサブフレームにおいて再送信フィードバックを受信することは、再送信フィードバックが関連しているデータパケットを含むＤＬサブフレームに対応するＵＬサブフレームにおいて送信通信デバイスによって再送信フィードバックが受信されるということを意味することが可能である。
【０１１５】
次のサブフレームにおいて再送信フィードバックを受信することは、次のＤＬサブフレームがタイムアウトしてしまう前に送信デバイスによって再送信フィードバックが受信されるということ、および／または次のＤＬサブフレームが終了してしまう前に受信デバイスによってフィードバックが送信されるということ、および／または対応する次のＵＬサブフレームが終了してしまう前に受信デバイスによってフィードバックが送信されるということを意味することが可能である。
【０１１６】
次の次のサブフレームにおいて再送信フィードバックを受信することは、再送信フィードバックが関連しているデータパケットを含む次の次のＤＬサブフレームに対応するＵＬサブフレームにおいて送信通信デバイスによって再送信フィードバックが受信されるということを意味することが可能である。
【０１１７】
次のサブフレームおよび次の次のサブフレームは、現在のサブフレームに関連しており、それは、フィードバックタイミングインジケータ（ＦＴＩ）が送信デバイスから送信されるサブフレームであることが可能である。すなわち、次のサブフレームは、一連のサブフレームの中で時間において次の連続したおよび／または次の隣接したサブフレームであることが可能である。
【０１１８】
再送信フィードバックは、ＡＲＱフィードバックまたはＨＡＲＱフィードバックと呼ばれることが可能である。
【０１１９】
対応するサブフレームは、ＵＬサブフレームとＤＬサブフレームとの間におけるタイミングに関連している。ＵＬサブフレームおよびＤＬサブフレームは、それらのタイミングが互いにとって特定のタイミング関係にある場合に、対応している。
【０１２０】
特定のタイミング関係は、伝搬遅延および／またはその他の遅延および／またはタイムシフト、たとえば、設定された遅延および／またはタイムシフト、ならびに／または類似の、伝搬遅延によってもたらされる影響への適合、および通信システムにおける時間構造への適合に関連することが可能である。
【０１２１】
特定のタイミング関係の一例が、図６において示されており、図６は、送信されたＤＬサブフレームおよび受信されたＵＬサブフレームがｅＮＢにおいて同期化される一例を示している。特定のタイミング関係の別の例は、送信されたＤＬサブフレームおよび受信されたＵＬサブフレームが同じタイミングを有していないが特定のタイムシフトおよび／または遅延だけずれているタイミングを有している場合であろう。
【０１２２】
図６を参照すると、受信デバイス（Ｒｘ）における対応するＵＬサブフレームおよびＤＬサブフレームのタイミングを見ることができる。この図においては、ＵＥは受信デバイスの役割を有しており、ｅＮＢは送信デバイスの役割を有している。ｅＮＢが、この例においてＤＬサブフレーム＃ｎ上でデータパケットを送信する場合には、送信はｔ１において開始する。このＤＬサブフレーム＃ｎの始まりは、伝搬遅延に起因してｔ２においてＵＥに到着することになる。概して、ＵＥからｅＮＢへ送信する場合にも同じ伝搬遅延が予想されることが可能である。したがってＵＥは、ＵＬサブフレーム＃ｎがｅＮＢにおいてＤＬサブフレーム＃ｎと同期化されるためには、その対応するＵＬサブフレーム（ＤＬサブフレーム＃ｎに対応する）をｔ０において送信しなければならない。通信デバイス同士の間における、伝搬遅延に関する同期化は、タイミングアドバンス（ＴＡ）を用いて制御されることが可能である。伝搬遅延の量は、送信デバイスと受信デバイスとの間における距離に関連している。タイミングアドバンスの構成は、ＵＬサブフレームの送信開始時間に影響を与えることが可能である。
【０１２３】
対応するサブフレームは、ＵＬサブフレームとＤＬサブフレームとの間におけるタイミングに関連している。ＵＬサブフレームおよびＤＬサブフレームが、同じサブフレーム番号を割り振られている場合には、それらは対応していると言える。
【０１２４】
サブフレームのバンドルは、再送信スキームに関連したデータを含むことができる複数の連続しているおよび／または連続していないサブフレームを含むことができる。
【０１２５】
データおよび／またはＦＴＩおよび／またはＤＣＩが時間構造において受信されることは、送信された対応する時間構造に含まれていることに関連することが可能であり、情報は、その情報、たとえば、ＦＴＩおよび／またはデータおよび／またはＤＣＩが通信デバイス８０と通信デバイス９０との間において伝達されることを可能にするために基準に従ってコード化および／または変調されている。
【０１２６】
普通のＤＣＩは、受信デバイス９０のために、コードレート、ならびに／または変調およびコーディングスキーム（ＭＣＳ）、ならびに／またはメッセージサイズ、ならびに／またはトランスポートブロックサイズ、ならびに／または使用するための搬送手段、ならびに／または送信する際の周波数を制御するための構成情報を含むことができ、それは、要求されている再送信フィードバックおよび／またはＵＬデータを送信する際に使用されることが可能である。これは、現在のチャネル状況に対する、ＵＬサブフレーム内の送信フォーマットの採用を可能にすることができ、したがってＵＬ送信の信頼性を改善することができる。
【０１２７】
本開示を通じて、「ｃｏｍｐｒｉｓｅ（含む）」または「ｃｏｍｐｒｉｓｉｎｇ（含む）」という言葉は、非限定的な意味で使用されており、すなわち「ｃｏｎｓｉｓｔ  ａｔ  ｌｅａｓｔ  ｏｆ（少なくとも〜から構成される）」を意味する。特定の用語が本明細書において採用されているかもしれないが、それらは、一般的および説明的な意味でのみ使用されており、限定を目的として使用されているものではない。とりわけ、本発明を例示するために３ＧＰＰおよびＩＥＥＥ８０２．１１ＥＥＥからの用語が本開示において使用されているが、これは、本発明の範囲を上述のシステムのみに限定するものとみなされるべきではないということに留意されたい。ＬＴＥまたはＬＴＥ−Ａ（ＬＴＥアドバンスト）およびＷｉＭａｘを含むその他の通信システムも、本開示内でカバーされているアイディアを活用することから利益を享受することができる。
【図１】
2020127218.tif 000005
【図２】
2020127218.tif 000006
【図３】
2020127218.tif 000007
【図４】
2020127218.tif 000008
【図５ａ】
2020127218.tif 000009
【図５ｂ】
2020127218.tif 000010
【図５ｃ】
2020127218.tif 000011
【図６】
2020127218.tif 000012
【図７】
2020127218.tif 000013
【図８】
2020127218.tif 000014
【図９】
2020127218.tif 000015
【図１０】
2020127218.tif 000016
【図１１】
2020127218.tif 000017
【図１２】
2020127218.tif 000018
【図１３】
2020127218.tif 000019
【手続補正書】
【提出日】令和2年5月8日(2020.5.8)
【手続補正１】
【補正対象書類名】特許請求の範囲
【補正対象項目名】全文
【補正方法】変更
【補正の内容】
【特許請求の範囲】
【請求項１】
通信リンク（７０）を介して通信している送信デバイス（８０）により、受信デバイス（９０）からのフィードバック送信のタイミングを制御するための方法であって、前記通信リンクが、再送信スキームをサポートし、前記方法が、
第１のフィードバックタイミングインジケータ（ＦＴＩ）及びデータを送信すること（４２）であって、前記第１のＦＴＩが第２のＦＴＩが前記送信デバイス（８０）によって送信されるであろうことを示す、送信することと、
前記第２のＦＴＩを送信することであって、前記第２のＦＴＩが、前記データに関係する再送信フィードバックがいつ要求されるかを示す、送信することと、
を含む、方法。
【請求項２】
前記第２のＦＴＩに従って、前記再送信スキームに関連して再送信フィードバックを受信することをさらに含む、請求項１に記載の方法。
【請求項３】
通信リンク（７０）を介した受信デバイス（９０）からのフィードバック送信のタイミングを制御するように適合されている送信デバイス（８０）であって、前記通信リンクが、再送信スキームをサポートし、前記送信デバイス（８０）が、
第１のフィードバックタイミングインジケータ（ＦＴＩ）及びデータを送信することであって、前記第１のＦＴＩが、前記送信デバイス（８０）によって第２のＦＴＩが送信されるであろうことを指示する、第１のＦＴＩ及びデータを送信することと、
第２のＦＴＩを送信することであって、前記第２のＦＴＩが、いつ前記データに関連する再送信フィードバックが要求されるかを示す、第２のＦＴＩを送信することとを実施するようにさらに適合されている、送信デバイス（８０）。
【請求項４】
前記送信デバイス（８０）が、前記第２のＦＴＩに従って、前記再送信スキームに関連して、再送信フィードバックを受信するようにさらに適合されている、請求項３に記載の送信デバイス（８０）。
【請求項５】
通信リンク（７０）を介して、送信デバイス（８０）と通信している受信デバイス（９０）によって再送信フィードバックを送信するための方法であって、前記通信リンクが、再送信スキームをサポートし、前記方法が、
第１のフィードバックタイミングインジケータ（ＦＴＩ）と再送信スキームに関連するデータとを受信すること（５２）であって、前記第１のＦＴＩは第２のＦＴＩが前記送信デバイス（８０）によって送信されるであろうことを指示し、前記第２のＦＴＩは前記データに関連した再送信フィードバックがいつ要求されるかを示す、受信すること（５２）と、
前記第２のＦＴＩを受信することと、
前記第２のＦＴＩに基づいて前記データに関連して再送信フィードバックを送信すること（５４）とを含む方法。
【請求項６】
通信リンク（７０）を介して、送信デバイス（８０）に再送信フィードバックを送信するように適合されている受信デバイス（９０）であって、前記通信リンクが、再送信スキームをサポートし、前記受信デバイス（９０）が、
第１のフィードバックタイミングインジケータ（ＦＴＩ）と前記再送信スキームに関連したデータとを受信することであって、前記第1のＦＴＩは前記送信デバイス（８０）によって第２のＦＴＩが送信されるであろうことを指示し、前記第２のＦＴＩは前記データに関連した再送信フィードバックがいつ要求されるかを示す、受信することと、
前記第２のＦＴＩを受信することと、
前記第２のＦＴＩに基づいて前記データに関連した再送信フィードバックを送信することとを実施するようにさらに適合されている受信デバイス（９０）。
【手続補正２】
【補正対象書類名】明細書
【補正対象項目名】０１２７
【補正方法】変更
【補正の内容】
【０１２７】
本開示を通じて、「ｃｏｍｐｒｉｓｅ（含む）」または「ｃｏｍｐｒｉｓｉｎｇ（含む）」という言葉は、非限定的な意味で使用されており、すなわち「ｃｏｎｓｉｓｔ  ａｔ  ｌｅａｓｔ  ｏｆ（少なくとも〜から構成される）」を意味する。特定の用語が本明細書において採用されているかもしれないが、それらは、一般的および説明的な意味でのみ使用されており、限定を目的として使用されているものではない。とりわけ、本発明を例示するために３ＧＰＰおよびＩＥＥＥ８０２．１１ＥＥＥからの用語が本開示において使用されているが、これは、本発明の範囲を上述のシステムのみに限定するものとみなされるべきではないということに留意されたい。ＬＴＥまたはＬＴＥ−Ａ（ＬＴＥアドバンスト）およびＷｉＭａｘを含むその他の通信システムも、本開示内でカバーされているアイディアを活用することから利益を享受することができる。
また、本願は以下に記載する態様を含む。
（態様１）
通信リンク（７０）を介して通信している通信デバイス（８０）によるフィードバック送信のタイミングを制御するための方法であって、前記通信リンクが、再送信スキームをサポートし、前記方法が、
フィードバックタイミングインジケータ（ＦＴＩ）を送信すること（４２）を含み、前記インジケータが、インジケータのセットから選択される、方法。
（態様２）
前記ＦＴＩの前記選択がスケジューリング情報に基づく、態様１に記載の方法。
（態様３）
前記スケジューリング情報が、
ＭＩＭＯストリーム、
ＭＩＭＯストリームの数、
データパケットのトランスポートブロックサイズ、
再送信バッファサイズ、
前記通信リンクの利用可能なリソースブロック、
前記通信リンクの周波数帯域幅、
前記スケジュールされた送信の周波数帯域幅、
前記送信のチャネルコーディング構成、
トラフィックタイプ
のうちの少なくとも１つを含む、態様２に記載の方法。
（態様４）
前記フィードバックタイミングインジケータが時間構造を示す、態様１に記載の方法。
（態様５）
前記時間構造が、
送信時間間隔、
サブフレーム、
無線フレーム、
シンボル時間長、
シンボル
のうちの少なくとも１つを含む、態様４に記載の方法。
（態様６）
前記フィードバックタイミングインジケータに従って、前記再送信スキームに関連して、再送信フィードバックを受信すること
をさらに含む、態様１に記載の方法。
（態様７）
前記ＦＴＩを送信することが、データを送信することを含む、態様１に記載の方法。
（態様８）
前記データのフォーマットが前記ＦＴＩに基づく、態様７に記載の方法。
（態様９）
前記データが、少なくとも１つのデータパケットを含む、態様７に記載の方法。
（態様１０）
通信リンク（７０）を介した通信に関するフィードバック送信のタイミングを制御するように適合されている通信デバイス（８０）であって、前記通信リンクが、再送信スキームをサポートし、前記通信デバイス（８０）が、
フィードバックタイミングインジケータ（ＦＴＩ）を送信するようにさらに適合されており、前記インジケータが、インジケータのセットから選択される、通信デバイス（８０）。
（態様１１）
前記ＦＴＩの前記選択がスケジューリング情報に基づく、態様１０に記載の通信デバイス（８０）。
（態様１２）
前記スケジューリング情報が、
ＭＩＭＯストリームの数、
データパケットのトランスポートブロックサイズ、
再送信バッファサイズ、
前記通信リンクの利用可能なリソースブロック、
前記通信リンクの周波数帯域幅、
前記スケジュールされた送信の周波数帯域幅、
前記送信のチャネルコーディング構成、
トラフィックタイプ
のうちの少なくとも１つを含む、態様１１に記載の通信デバイス（８０）。
（態様１３）
前記フィードバックタイミングインジケータが時間構造を示す、態様１０に記載の通信デバイス（８０）。
（態様１４）
前記時間構造が、
送信時間間隔、
サブフレーム、
無線フレーム、
シンボル時間長、
シンボル
のうちの少なくとも１つを含む、態様１３に記載の通信デバイス（８０）。
（態様１５）
前記通信デバイス（８０）が、
前記フィードバックタイミングインジケータに従って、前記再送信スキームに関連して、再送信フィードバックを受信するようにさらに適合されている、態様１０に記載の通信デバイス（８０）。
（態様１６）
データを送信するようにさらに適合されている、態様１０に記載の通信デバイス（８０）。
（態様１７）
前記データのフォーマットが前記ＦＴＩに基づく、態様１６に記載の通信デバイス（８０）。
（態様１８）
前記データが、少なくとも１つのデータパケットを含む、態様１６に記載の通信デバイス（８０）。
（態様１９）
通信リンク（７０）を介して通信している通信デバイス（９０）によって再送信フィードバックを送信するための方法であって、前記通信リンクが、再送信スキームをサポートし、前記方法が、
フィードバックタイミングインジケータ（ＦＴＩ）を受信すること（５２）、および
前記フィードバックタイミングインジケータに基づいて再送信フィードバックを送信すること（５４）を含む方法。
（態様２０）
前記ＦＴＩが時間構造を示す、態様１９に記載の方法。
（態様２１）
前記時間構造が、
送信時間間隔、
サブフレーム、
無線フレーム、
シンボル時間長、
シンボル
のうちの少なくとも１つを含む、態様２０に記載の方法。
（態様２２）
受信すること（５２）が、前記再送信スキームに関連したデータを受信することを含む、態様１９から２１のいずれか一項に記載の方法。
（態様２３）
前記インジケータが、前記ＦＴＩが受信された前記時間構造に関連した時間構造を示す、態様２０から２２のいずれか一項に記載の方法。
（態様２４）
前記インジケータが、前記データが受信される前記時間構造に関連した時間構造を示す、態様２２または２３に記載の方法。
（態様２５）
再送信フィードバックが前記再送信スキームに関連している、態様１９から２４のいずれか一項に記載の方法。
（態様２６）
前記受信された前記再送信スキームに関連したデータのフォーマットが前記ＦＴＩに基づく、態様２２に記載の方法。
（態様２７）
通信リンク（７０）を介した通信に関する再送信フィードバックを送信するように適合されている通信デバイス（９０）であって、前記通信リンクが、再送信スキームをサポートし、前記通信デバイス（９０）が、
フィードバックタイミングインジケータ（ＦＴＩ）を受信すること、および
前記フィードバックタイミングインジケータに基づいて再送信フィードバックを送信するようにさらに適合されている通信デバイス（９０）。
（態様２８）
前記ＦＴＩが時間構造において受信される、態様２７に記載の通信デバイス（９０）。
（態様２９）
前記ＦＴＩが時間構造を示す、態様２７に記載の通信デバイス（９０）。
（態様３０）
前記時間構造が、
送信時間間隔、
サブフレーム、
無線フレーム、
シンボル時間長、
シンボル
のうちの少なくとも１つを含む、態様２７から２９のいずれか一項に記載の通信デバイス（９０）。
（態様３１）
前記再送信スキームに関連したデータを受信するようにさらに適合されている、態様２７から３０のいずれか一項に記載の通信デバイス（９０）。
（態様３２）
前記ＦＴＩが、前記ＦＴＩが受信される前記時間構造に関連した時間構造を示す、態様２８から３１のいずれか一項に記載の通信デバイス（９０）。
（態様３３）
前記ＦＴＩが、前記データが受信される前記時間構造に関連した時間構造を示す、態様２８から３１のいずれか一項に記載の通信デバイス（９０）。
（態様３４）
再送信フィードバックが再送信スキームに関連している、態様２７から３３のいずれか一項に記載の通信デバイス（９０）。
（態様３５）
前記受信された前記再送信スキームに関連したデータのフォーマットが前記ＦＴＩに基づく、態様３１に記載の通信デバイス（９０）。
【外国語明細書】
2020127218000001.pdf